(57)【要約】【課題】記録媒体上に記録する情報の信頼性を向上させることができる情報記録再生技術を提供すること。【解決手段】記録媒体に記録条件である振幅情報と振幅情報のパワー変化率（記録パワーに対する振幅変化率）を記録しておき、この情報を用いて、情報の記録直後に情報を再生することによって、再生信号の振幅情報から得られる情報から最適記録パワーを算出し、記録条件を変更することによって情報の信頼性を確保する性能を引き出すようにしたものである。【選択図】  図９
2004234698.tif 000002
【特許請求の範囲】
【請求項１】
発振したレーザ光を情報記録媒体に照射して、当該情報記録媒体上の記録エリアに、情報の未記録部分とは物理的に異なる記録領域を形成することにより、上記情報記録媒体上に情報の記録、再生あるいは消去を行なうことの可能な情報記録再生装置において、
再生信号の振幅情報を検出する手段と、検出した信号をデジタル信号に変換する手段と、得られたデジタル信号を演算する手段を具備し、
記録媒体に記録されている記録条件である振幅情報と振幅情報のパワー変化率（記録パワーに対する振幅変化率）を用いて、記録パワーを変化させて記録再生を行なうことを特徴とする情報記録再生装置。
【請求項２】
請求項１に記載の情報記録再生装置の記録条件変更において、記録媒体に記録されている記録条件である振幅情報と振幅情報のパワー変化率を記録媒体から読み取り、少なくても２種類以上の線速度に対応した振幅情報と振幅情報のパワー変化率（記録パワーに対する振幅変化率）を用いて、記録すべき線速度の記録条件を演算し、記録パワーを変化させて記録再生を行なうことを特徴とする情報記録再生装置。
【請求項３】
請求項１に記載の情報記録再生装置の記録条件変更において、記録媒体に記録されている記録条件である振幅情報と振幅情報のパワー変化率を記録媒体から読み取り、正規の情報を記録する前に、振幅情報のパワー変化率（記録パワーに対する振幅変化率）を当該の情報記録再生装置で調査し、正規の情報を記録する場合、当該の情報記録再生装置での振幅情報のパワー変化率を用いて、記録パワーを変化させて記録再生を行なうことを特徴とする情報記録再生装置。
【請求項４】
請求項１に記載の情報記録再生装置の記録条件変更において、記録媒体に記録されている記録条件である振幅情報と振幅情報のパワー変化率を記録媒体から読み取り、正規の情報を記録する前に、少なくても２種類以上の線速度に対応した振幅情報のパワー変化率（記録パワーに対する振幅変化率）を当該の情報記録再生装置で調査し、少なくても２種類の線速度の情報から記録すべき線速度の記録条件を演算し、正規の情報を記録する場合、当該の情報記録再生装置での振幅情報のパワー変化率（記録パワーに対する振幅変化率）を用いて、記録パワーを変化させて記録再生を行なうことを特徴とする情報記録再生装置。
【請求項５】
発振したレーザ光を情報記録媒体に照射して、当該情報記録媒体上の記録エリアに、情報の未記録部分とは物理的に異なる記録領域を形成することにより、上記情報記録媒体上に情報の記録、再生あるいは消去を行なうことの可能な情報記録媒体において、
記録媒体に予め記録条件である記録線速度と記録パワーと振幅情報を少なくとも具備し、
当該の記録線速度における振幅情報のパワー変化率（記録パワーに対する振幅変化率）の情報が設けられたことを特徴とする情報記録媒体。
【請求項６】
発振したレーザ光を情報記録媒体に照射して、当該情報記録媒体上の記録エリアに、情報の未記録部分とは物理的に異なる記録領域を形成することにより、上記情報記録媒体上に情報の記録、再生あるいは消去を行なうことの可能な情報記録媒体において、
記録媒体に予め記録条件である複数の記録線速度と複数の記録パワーと複数の振幅情報を少なくとも具備し、
複数の記録線速度における振幅情報のパワー変化率（記録パワーに対する振幅変化率）の情報が設けられたことを特徴とする情報記録媒体。
【請求項７】
発振したレーザ光を情報記録媒体に照射して、当該情報記録媒体上の記録エリアに、情報の未記録部分とは物理的に異なる記録領域を形成することにより、上記情報記録媒体上に情報の記録、再生あるいは消去を行なうことの可能な情報記録媒体において、
記録媒体に予め記録条件である複数の記録線速度と複数の記録パワーと複数の振幅情報を少なくとも具備し、
記録対応可能な記録線速度の範囲における１つの記録線速度における振幅情報のパワー変化率（記録パワーに対する振幅変化率）の情報と記録対応可能な記録線速度の範囲における記録線速度に対する振幅情報のパワー変化率（記録パワーに対する振幅変化率）の情報が設けられたことを特徴とする情報記録媒体。
【発明の詳細な説明】
【０００１】
【発明の属する技術分野】
本発明は、情報記録媒体上に記録再生を行なう情報記録再生技術に関し、特にレーザ光による記録および再生を行なうための情報記録再生技術に関するものである。
【０００２】
【従来の技術】
従来、光ディスク等の光学的記録媒体上に情報の記録再生を行なうことの可能な光学的情報記録再生装置では、情報を記録した後、記録した情報の一部を再生し、その再生信号のＢｅｔａ値を算出して記録品質を判定し、そのＢｅｔａ値が許容範囲にない場合、ホストコンピュータにエラー情報を出力するものである（例えば、特許文献１参照）。
【０００３】
【特許文献１】
特開平９−１６１２７２公報  （第４〜６頁、第１図）
【０００４】
【発明が解決しようとする課題】
上記従来技術では、記録品質を判定し、ホストコンピュータにエラー情報を出力するが、エラー情報を出力するにとどまり、記録品質を改善する処理を行う訳ではない。従って、記録品質を改善する処理については、上記従来技術では何ら言及されていない。
【０００５】
本発明の目的は、記録媒体上に記録する情報の信頼性を向上させることができる情報記録再生技術を提供することにある。
【０００６】
【課題を解決するための手段】
上記の目的を達成するため、本発明では、再生信号の振幅情報を検出する手段と、検出した信号をデジタル信号に変換する手段と、得られたデジタル信号を演算する手段を具備し、情報記録再生装置のコントローラにおいて、記録した再生信号の振幅情報から得られる情報と、記録媒体に記録されている記録条件であるアシンメトリとアシンメトリのパワー変化率（記録パワーに対する振幅変化率）を用いて、記録パワーを変化させて記録再生を行なうことによって、情報の信頼性を確保するものである。
【０００７】
【発明の実施の形態】
以下、本発明の実施の形態について、添付の図面を参照して詳細に説明する。まず、図１は、本発明の一実施形態である光学的情報記録再生装置の構成を示している。半導体レーザ１は、レーザ光を発振する。コリメートレンズ２は、半導体レーザ１からの光を平行光に変換する。プリズム３は、コリメートレンズ２を通過した光を光検出器８に導くと共に、記録媒体５からの反射光を光検出器７に導く。対物レンズ４は、コリメートレンズ２、プリズム３を通過した光を絞り込んで記録媒体５上に光スポットを形成する、本実施例では、記録媒体５は、ＤＶＤディスクを含む光ディスクである。アクチュエータ６は、対物レンズ５を駆動し、記録媒体５に形成される光スポット形状の制御及び位置制御を行う。プリアンプ９は、光検出器９で光電変換された信号を増幅する。なお、再生回路１０、ＰＬＬ回路１１、弁別回路１２、高周波重畳回路１３、レーザドライバ１４、記録パルス生成回路１５、シンセサイザ１６、パワー監視回路１７、サーボ駆動回路１８及びコントローラ１９の動作については後述する。
【０００８】
かかる構成の光学的情報記録再生装置は、基本的には半導体レーザ１を中心とする光ヘッドと、記録パルス生成回路１５を中心とする記録処理系と、そして、一方上記光ヘッドから得られた再生信号を情報に変換する再生回路１０を中心とした再生処理系とから構成される。なお、図１からも明らかなように、情報を記憶する記録媒体５は、記録膜（ハッチング部分）とそれを保持する基板から構成される。また、後述するように、記録媒体５には、予め記録条件である、記録パワーや振幅情報であるアシンメトリやアシンメトリのパワー変化率（記録パワーに対する振幅変化率）等の記録に関する情報が埋め込まれている。
【０００９】
そして、上位ホストからの命令は、コントローラ１９において命令の解読が行われる。上位ホストから情報データは、コントローラ１９で記録データの変調が行われ、採用されている変調方式に対応する符号列に変換される。また、シンセサイザ１６は、装置全体の基準クロックを発生させる発振器であり、大容量化の手法として記録媒体５のゾーンごとに基準クロックを変えて内外周での記録密度を略一定とするＺＣＡＶ（Ｚｏｎｅｄ  Ｃｏｎｓｔａｎｔ  Ａｎｇｕｌａｒ  Ｖｅｌｏｃｉｔｙ）と呼ばれる記録方法を採用した場合には、シンセサイザ１６の発振周波数もゾーンに応じて変えていくこととなる。また、記録媒体５を回転させるスピンドルモータ（図示せず）の回転数を変化させて、内外周での線速度を略一定とするＺＣＬＶ（Ｚｏｎｅｄ  Ｃｏｎｓｔａｎｔ  Ｌｉｎｅｒ  Ｖｅｌｏｃｉｔｙ）と呼ばれる記録方法を採用した場合には、シンセサイザ１６の発振周波数を固定することになる。
【００１０】
また、情報の記録／再生を実施するための光スポットの形状及び位置制御を行うサーボ機構（フォーカスサーボ及びトラッキングサーボ）は、例えば、光検出器７の前に配置した円柱レンズ（図示せず）と光検出器（４分割）７によりフォーカス誤差信号及びトラック誤差信号を得ることから、この誤差信号をコントローラ１９に入力（図示せず）し、さらに、コントローラ１９からサーボ駆動回路１８にサーボ信号を出力してアクチュエータ６に駆動電流を供給することにより対物レンズ４を移動し、これにより、記録媒体５に形成される光スポットの形状及び位置制御を行う。
【００１１】
また、情報の記録を行う場合、コントローラ１９からのデータに応じて変調された符号列とシンセサイザ１６からの基準クロックとが記録パルス生成回路１５に入り、記録マークの長さや幅を制御するための記録パルス列に変換される。
【００１２】
次に、記録パルス生成回路１５において変換されたこれらの記録パルス列は、まず、レーザドライバ１４に入力され、レーザドライバ１４から供給される記録電流により半導体レーザ１を高出力発振させる。この半導体レーザ１から出た光は、まず、コリメートレンズ２で平行光となってプリズム３を通り、さらに、対物レンズ４により記録媒体５上に光スポットを形成し、これにより、記録パルス列の符号列に応じた記録マークが記録される。
【００１３】
なお、高周波重畳回路１３は、半導体レーザ１に起因するレーザ雑音を低減するために設けられているものであり、この高周波重畳回路１３は、情報の記録／消去時またはオーバーライト時には、レーザの寿命の関点から高周波重畳を休止することもあり得るものである。
【００１４】
一方、本図の光学的情報記録装置において、上記のようにして記録された情報の再生時に、半導体レーザ１を低出力発振させ、その発振光を記録媒体５に入射させる。この記録媒体５からの反射光は、プリズム３により光路が分離され、光検出器７に入射させる。この光検出器７では、入射された光を光電変換した後、プリアンプ９で増幅し、さらに、再生回路１０に入力する。この再生回路１０は、例えば、波形等化回路、自動利得制御回路、二値化回路などから構成されており、これにより、入力された再生信号を二値化信号とする。また、再生回路１０は図３に示すように再生信号の振幅レベルを検出するためのピーク、センタ及びボトム検出回路等も含まれている。
このように、上記再生回路１０から出力される二値化信号は、その後、セルフクロッキングのためにＰＬＬ（Ｐｈａｓｅ  Ｌｏｃｋｅｄ  Ｌｏｏｐ）回路１１に入力される。このＰＬＬ回路１１により得られる、二値化信号に同期した再生クロックと、上記二値化信号とは、データ弁別のために弁別回路１２に入力され、その弁別結果としてのデータ弁別信号はコントローラ１９に入力され、これによりデータが復調される。
【００１５】
次に、記録パワー変動による再生信号の変化について図２を用いて説明する。図２（Ａ）は、適正パワーより低いパワーで半導体レーザ１を発振させて記録媒体５に記録マークを形成した場合に得られる再生信号を示している。同様に、図２（Ｂ）は、適正パワーの場合の再生信号を、図２（Ｃ）は、適正パワーより高いパワーの場合に得られる再生信号をそれぞれ示している。
【００１６】
本図に示したのは、再生信号の振幅変化が判り易い、長いマークと短いマークの組み合わせから得られる再生信号の一例である。マーク部分の再生信号が図面上で下側に現れ、スペース部分の再生信号が上側に現れるものとして図示している。長いスペース部分が再生信号のピークレベルであり、長いマーク部分が再生信号のボトムレベルであり、再生信号のマークとスペースの平均レベルがセンタレベルとなる。このセンタレベルは、短いマークとスペースの振幅レベルのほぼ中心位置となる。上記３つのレベルからＢｅｔａ値が以下のように求めることができる。
Ｂｅｔａ＝（Ａ１＋Ａ２）  ／  （Ａ１−Ａ２）        式（１）
Ａ１＝ピークレベル−センタレベル
Ａ２＝ボトムレベル−センタレベル
このように、ピークレベル、センタレベル、ボトムレベルの３つのレベルからＢｅｔａ値が算出され、記録パワーに対するＢｅｔａ値の関係から記録パワーを制御できることが解かる。
【００１７】
また、Ｂｅｔａとほぼ同じような再生信号の振幅状態を表現するＡｓｙｍｍｅｔｒｙについて説明する。Ａｓｙｍｍｅｔｒｙは、以下のように定義される。
Ａｓｙｍｍｅｔｒｙ＝［（ピークレベル＋ボトムレベル）／２  −センタレベル］／［ピークレベル−ボトムレベル］
上記式（１）で定義されたＡ１とＡ２を用いて以下のように求めることができる。
Ａｓｙｍｍｅｔｒｙ＝１／２［（Ａ１＋Ａ２）  ／  （Ａ１−Ａ２）］        式（２）
Ａｓｙｍｍｅｔｒｙ＝１／２［Ｂｅｔａ］                      式（３）
したがって、ＡｓｙｍｍｅｔｒｙはＢｅｔａの半分の値となり、単に、１／２の係数の違いだけであり、基本的に、ＡｓｙｍｍｅｔｒｙとＢｅｔａは再生信号の振幅状態を表現することが解かる。
【００１８】
次に、再生回路１０に含まれている再生信号の振幅レベルを検出するための回路構成を、図３を用いて説明する。プリアンプ９から出力された再生信号が再生回路１０の内部で、上述の波形等化、自動利得制御、二値化等のデータ弁別処理系とは別に分岐され、エンベロープ検波回路２０に入力される。このエンベロープ検波回路２０では、ピーク検波回路２１とボトム検波回路２２及びセンタ検波回路２４で再生信号のピークレベルとボトムレベル及びセンタレベルが検出される。ピーク検波回路２１では、図２で示した長いスペース部分（図面の上側）の振幅レベルを検出し、ボトム検波回路２２では図２で示した長いマーク部分（図面の下側）の振幅レベルを検出し、センタ検波回路２４では図２で示した短いマークとスペースの振幅レベルのほぼ中心位置レベルを検出する。
【００１９】
ここで、ゲート発生回路２３はコントローラ１９からの指令を受けて、記録直後の再生動作時に再生信号のピークレベル、センタレベル、ボトムレベルを検出するために、ピーク検波回路２１とボトム検波回路２２とセンタ検波回路２４及びＡＤ変換器２５をコントロールする。ＡＤ変換器２５に供給されたピークレベル、センタレベル、ボトムレベルをＡＤ変換するとともに、コントローラ１９には変換された振幅データが格納される。コントローラ１９では、上記格納データを用いて、式（１）と（２）の演算を実施してＢｅｔａとＡｓｙｍｍｅｔｒｙを算出することができる。
【００２０】
次に、記録パワーに対するＡｓｙｍｍｅｔｒｙの特性を図４に示す。横軸に記録パワーを示し、縦軸にＡｓｙｍｍｅｔｒｙを示す。記録線速度約８．２ｍ／ｓを２ｘとして表現してあり、５ｘと表現される記録線速度約２０．５ｍ／ｓまでの特性を示してある。本図から、記録線速度が速くなるに従って、記録パワーに対するＡｓｙｍｍｅｔｒｙの変化が大きくなっていることが分かる。
【００２１】
また、記録パワーに対するジッタの特性を図５に示す。横軸に記録パワーを示し、縦軸にジッタを示す。図４と同様に記録線速度をパラメータとしている。最適記録パワーの決定方法の１つとして、ジッタ１３％になる記録パワーを閾値Ｐｔｈとし、このＰｔｈに最適記録パワー係数を乗算して求める方式がある。各記録線速度において最小ジッタとなる記録パワーＰｗは、記録線速度２ｘにおいて約１３ｍＷ、記録線速度３ｘにおいて約１４ｍＷ、記録線速度４ｘにおいて約１５．５ｍＷ、記録線速度５ｘにおいて約１６ｍＷである。また、各記録線速度におけるＰｔｈは、記録線速度２ｘにおいて約１０ｍＷ（Ｐｔｈ２ｘ）、記録線速度３ｘにおいて約１０．７ｍＷ（Ｐｔｈ３ｘ）、記録線速度４ｘにおいて約１２．３ｍＷ（Ｐｔｈ４ｘ）、記録線速度５ｘにおいて約１２．８ｍＷ（Ｐｔｈ５ｘ）である。最小ジッタとなる記録パワーＰｗとジッタ１３％になる記録パワーの閾値Ｐｔｈから、最適記録パワー係数は約１．３となり、この記録媒体の場合、記録線速度に依らず同じ最適記録パワー係数を用いることができるが、各記録線速度に対する最適記録パワー係数を設定しても構わない。
【００２２】
次に、各記録線速度における最小ジッタとなる記録パワーＰｗ（ｍＷ）を記録パワーＰｗ＝１００％として表現した記録パワーに対するジッタの特性を図６に示す。横軸に規格化した記録パワーをパーセントで示し、縦軸にジッタを示す。記録線速度２ｘから５ｘまでのジッタは、Ｐｗ＝１００％において約７％程度であり、Ｐｗ＝１００％±１０％の範囲でも約８％以下のジッタが得られている。したがって、図６から、図５で決定した最小ジッタとなる記録パワーが最適記録パワーになっていることの検証結果であることが分かる。
【００２３】
次に、各記録線速度における最適記録パワー前後におけるＡｓｙｍｍｅｔｒｙの特性を図７に示す。横軸に規格化した記録パワーをパーセントで示し、縦軸にＡｓｙｍｍｅｔｒｙを示す。図４で示したＡｓｙｍｍｅｔｒｙとは異なり、図６で示したジッタ約８％以下となる記録パワー付近に関するＡｓｙｍｍｅｔｒｙを表示した。各記録線速度におけるＡｓｙｍｍｅｔｒｙと、そのＡｓｙｍｍｅｔｒｙから線形近似した１次方程式を各記録線速度毎に示してある。ここで、表記したｙはＡｓｙｍｍｅｔｒｙであり、ｘは記録パワーＰｗ（％）である。最適記録パワー前後におけるＡｓｙｍｍｅｔｒｙは、どの線速度においても線形近似が成立していることが解かる。最適記録パワーＰｗ＝１００％におけるＡｓｙｍｍｅｔｒｙを線形近似から算出すると、記録線速度２ｘにおいて約２．８％、記録線速度３ｘにおいて約４．２％、記録線速度４ｘにおいて約７．５％、記録線速度５ｘにおいて約８．６％である。
【００２４】
図４で説明した最適記録パワーの決定方法では、ジッタ１３％になる記録パワーを閾値Ｐｔｈに記録媒体に予め記録されている最適記録パワー係数を乗算する。
【００２５】
一方、図７から解かるように、最適記録パワーと最適記録パワー時のＡｓｙｍｍｅｔｒｙ及び最適記録パワー前後におけるＡｓｙｍｍｅｔｒｙのパワー変化率（記録パワーに対する振幅変化率）を用いて、記録条件を決定することができる。記録媒体に予め、最適記録パワーと最適記録パワー時のＡｓｙｍｍｅｔｒｙ及び最適記録パワー前後におけるＡｓｙｍｍｅｔｒｙのパワー変化率（記録パワーに対する振幅変化率）を記録しておくことで、実際の記録再生時に、記録したＡｓｙｍｍｅｔｒｙをチェックして、最適記録パワー時のＡｓｙｍｍｅｔｒｙとの差分から記録パワーを逆算することで、記録パワーを決定できる。例えば、記録線速度２ｘにおいて記録再生を実施した場合、記録媒体に記録されている記録パワーで記録した再生信号のＡｓｙｍｍｅｔｒｙが、５％の場合、記録パワーはグラフから１１５％となり、最適記録パワーから１５％程大きいパワーで記録したことになる。そこで、記録パワーを１５％程低下させて記録すれば、目標である約３％のＡｓｙｍｍｅｔｒｙが得られることになり、記録品質も最小ジッタを得ることができる。また、他の記録線速度においても同様に記録再生によるＡｓｙｍｍｅｔｒｙから最適記録パワーを算出して設定することができる。
【００２６】
したがって、記録媒体に最適記録パワーと最適記録パワー時のＡｓｙｍｍｅｔｒｙ及び最適記録パワー前後におけるＡｓｙｍｍｅｔｒｙのパワー変化率（記録パワーに対する振幅変化率）を予め記録させておくことで、図４で説明した最適記録パワーの決定方法より、高精度な記録品質を確保することができる。これは、図５に示したような閾値検出でのＰｔｈの検出誤差が、光学的情報記録再生装置のＳＮＲ（Ｓｉｇｎａｌ  ｔｏ  Ｎｏｉｓｅ  Ｒａｔｉｏ）に大きく依存するため、ＳＮＲが悪いほどＰｔｈが大きくなり、求められる記録パワーも大きくなるためである。
【００２７】
また、記録媒体に予め記録されている記録条件である最適記録パワーと最適記録パワー時のＡｓｙｍｍｅｔｒｙ及び最適記録パワー前後におけるＡｓｙｍｍｅｔｒｙのパワー変化率（記録パワーに対する振幅変化率）に関して、上記ではそのまま使用することで記録条件を変更する説明をしたが、上記記録条件を記録媒体から読み出した後、記録媒体のテストエリア等において、図７のような特性をチェックすることによって、情報記録再生装置の特性に応じたＡｓｙｍｍｅｔｒｙのパワー変化率を設定することで、さらに、高精度な記録品質を確保することができる。これは、予め記録媒体に記録された情報が光学的情報記録再生装置の特性との適合性に問題がある場合には非常に有効な方法である。光学的情報記録再生装置のばらつきや記録媒体の特性ばらつきを考慮すると、光学的情報記録再生装置の特性に応じたＡｓｙｍｍｅｔｒｙのパワー変化率を設定することが望ましい。
【００２８】
次に、図７で得られた最適記録パワー時のＡｓｙｍｍｅｔｒｙ及び最適記録パワー前後におけるＡｓｙｍｍｅｔｒｙのパワー変化率と記録線速度に関する特性を図８に示す。横軸に規格化した線速度を示し、縦軸の左側にＡｓｙｍｍｅｔｒｙと右側にＡｓｙｍｍｅｔｒｙのパワー変化率（Ａｓｙｍｍｅｔｒｙ／Ｐｏｗｅｒ）を示す。線速度の“２”は約８．２ｍ／ｓを意味し、“５”は約２０．５ｍ／ｓを意味する。縦軸の左側に示した最適記録パワーＰｗ＝１００％時のＡｓｙｍｍｅｔｒｙと縦軸の右側に示したＡｓｙｍｍｅｔｒｙのパワー変化率をそれぞれ線形近似した結果を１次方程式で表現している。記録媒体に記録条件として、図８に示す情報を予め記録させておくことで、図７で説明したＡｓｙｍｍｅｔｒｙから最適記録パワー設定が可能となる。例えば、最適記録パワー時のＡｓｙｍｍｅｔｒｙは、記録線速度２ｘと５ｘの値を記録しておけば、この２点から線形近似によって、各記録線速度に対する最適記録パワー時のＡｓｙｍｍｅｔｒｙを算出することができる。また、Ａｓｙｍｍｅｔｒｙのパワー変化率（Ａｓｙｍｍｅｔｒｙ／Ｐｏｗｅｒ）に関しては、記録線速度２ｘと５ｘの値を記録しておけば、やはり線形近似によって各記録線速度に対するＡｓｙｍｍｅｔｒｙのパワー変化率（Ａｓｙｍｍｅｔｒｙ／Ｐｏｗｅｒ）を算出できる。また、ある線速度におけるＡｓｙｍｍｅｔｒｙと線速度に対する傾き（図８のＡｓｙｍｍｅｔｒｙの１次方程式の“２．０６６”）と、ある線速度におけるＡｓｙｍｍｅｔｒｙのパワー変化率（Ａｓｙｍｍｅｔｒｙ／Ｐｏｗｅｒ）と線速度に対する傾き（図８のＡｓｙｍｍｅｔｒｙ／Ｐｏｗｅｒの１次方程式の“０．１０７６”）を記録媒体に予め記録しておくことで、やはり、図７で説明したＡｓｙｍｍｅｔｒｙから最適記録パワー設定が可能となる。したがって、記録媒体の可能な記録線速度の範囲において、上述した記録条件を記録媒体に予め記録しておくことで、最適記録パワー設定を高精度に行うことが可能となる。
【００２９】
次に、図１に示した光学的情報記録再生装置が行う処理フローを、図９を用いて説明する。ステップ１００でディスクが挿入されると、ステップ１０１で、回転制御、ＡＦオフセット、ＴＲオフセット等の初期設定を行って動作を開始する。
【００３０】
次に、ステップ１０２において、記録媒体５のコントロールデータを再生して記録条件を設定する。具体的には、記録媒体５に予め記録された情報（コントロールデータ等）を読み取り、コントローラ１９でレーザドライバ１４、記録パルス生成回路１５及びシンセサイザ１６に初期条件として記録条件を設定する。
【００３１】
通常、光学的情報記録再生装置の性能が記録媒体５のコントロールデータに記載された記録条件に適合していればそのまま記録条件を設定するが、光学的情報記録再生装置のばらつきや記録媒体の特性ばらつきを考慮すると、光学的情報記録再生装置の特性に応じたＡｓｙｍｍｅｔｒｙのパワー変化率や最適記録パワーをチェック（記録条件チェック）して、ここで得られた特性を光学的情報記録再生装置に設定した方がより記録品質を向上させることができる。なお、記録媒体５に設けられたテストエリア等で、記録条件のチェックを実施することができる。また、コントローラ１９がレーザドライバ１４、記録パルス生成回路１５及びシンセサイザ１６を制御することで記録条件を設定する。
【００３２】
次に、ステップ１０３で、光を目標トラックに移動し、ステップ１０４でデータの記録を実施する。また、記録後のデータを再生する場合にはステップ１０５に進み、データの再生を実施する。
【００３３】
次に、ステップ１０６にてＡｓｙｍｍｅｔｒｙを検出する。Ａｓｙｍｍｅｔｒｙが所定の値を超えた場合、ステップ１０７にて記録条件の変更を実施する。また、Ａｓｙｍｍｅｔｒｙが所定の値の範囲で、再生した情報のデジタル品質（例えばＰＩエラー：再生信号を２値化した信号から得られるエラー情報）が所定の範囲を超えた場合には、再生条件の変更（例えば、ＡＦオフセットの変更）を実施する。以上のようにＡｓｙｍｍｅｔｒｙが所定の範囲になるように記録パワーを変更する処理を繰り返す。
【００３４】
次に，Ａｓｙｍｍｅｔｒｙが所定の範囲になるとステップ１０８のデータ再生に移行するが、データの再生を行なわなければ処理終了１１１となる。データの再生を行なう場合には、ステップ１０８にてデータを再生し、正常に再生できるか否かをステップ１０９で判断する。データが正常に再生できればそのまま処理終了となる（ステップ１１１）。もし、正常に読み取れない場合には、ステップ１１０に進み、ＡｓｙｍｍｅｔｒｙとＰＩエラー数をチェックするとともに再生条件を変更して再生動作を再度行う。ここで、再生条件の変更とは、ＡＦオフセットだけではなく、例えば、波形等化条件を変更しても構わない。
【００３５】
以上のようにＡｓｙｍｍｅｔｒｙを検出し記録条件を変更する場合、記録データの最小単位毎に実行することが望ましいが、環境温度（コントローラ１９に内蔵された温度センサまたは図示していない温度センサ）が大きく変化した場合や記録パワーを常時監視しているパワー監視回路１７からの情報を基に、Ａｓｙｍｍｅｔｒｙを検出して最適な記録条件を設定することでも情報の信頼性を向上させることができる。
【００３６】
【発明の効果】
本発明によれば、記録媒体上に記録する情報の信頼性を向上させることができる。
【図面の簡単な説明】
【図１】本発明の光学的情報記録再生装置の構成を示すブロック図である。
【図２】記録パワー変動による再生信号の変化を示す図である。
【図３】本発明の再生信号の振幅レベルを検出するための回路構成を示すブロック図である。
【図４】各記録線速度における記録パワーに対するＡｓｙｍｍｅｔｒｙの関係を示すグラフである。
【図５】各記録線速度における記録パワーに対するジッタの関係を示すグラフである。
【図６】各記録線速度における規格化記録パワーに対するジッタの関係を示すグラフである。
【図７】各記録線速度における規格化記録パワーに対するＡｓｙｍｍｅｔｒｙの関係を示すグラフである。
【図８】各記録線速度における規格化線速度に対するＡｓｙｍｍｅｔｒｙとＡｓｙｍｍｅｔｒｙのパワー変化率の関係を示すグラフである。
【図９】本発明による処理フローを示すブロック図である。
【符号の説明】
１    半導体レーザ
２    コリメートレンズ
４    対物レンズ
３    プリズム
５    記録媒体
６    アクチュエータ
７    光検出器
８    光検出器
９    プリアンプ
１０    再生回路
１３    高周波重畳回路
１４    レーザドライバ
１５    記録パルス生成回路
１７    パワー監視回路
１８    サーボ駆動回路
１９    コントローラ
２１    ピーク検波回路
２２    ボトム検波回路
２３    ゲート発生回路
２４    センタ検波回路
２５    ＡＤ変換器
【図１】
2004234698.tif 000003
【図２】
2004234698.tif 000004
【図３】
2004234698.tif 000005
【図４】
2004234698.tif 000006
【図５】
2004234698.tif 000007
【図６】
2004234698.tif 000008
【図７】
2004234698.tif 000009
【図８】
2004234698.tif 000010
【図９】
2004234698.tif 000011